(57)【要約】  部分的なパケット・データ・ユニット（ＰＤＵ）のアンバンドリングおよび処理を容易にするシステムおよび方法体系が説明される。ＰＤＵは、通信層において送信され、異種通信層の部分的なＰＤＵを含みうる。完全なＳＤＵは、部分的なＰＤＵにおいて決定され、上位通信層に提供されうる。しかし、それに加えて、部分的なＰＤＵは部分的なＳＤＵを備えうる。部分的なＰＤＵの残りの一部分あるいは追加の一部分を受信すると、部分的なＳＤＵの残りの一部分あるいは追加の一部分は、部分的なＳＤＵと結合され、完全なＳＤＵ（あるいはＳＤＵのより大きな一部分）が作成されうる。完全なＳＤＵは、作成されると、上位通信層に提供されうる。代替的に、部分的なＰＤＵは、部分的なＰＤＵの残りの一部分と結合され、完全なＰＤＵあるいはより大きなＰＤＵが生成されうる。ここから、以前は不完全だったＳＤＵが取り出され、上位通信層に提供されうる。
2012514952.tif 000002
【特許請求の範囲】
【請求項１】
異種通信層に関連する部分的なパケット・データ・ユニット（ＰＤＵ）を備えるＰＤＵを通信層において受信することと、
前記通信層において前記ＰＤＵから前記部分的なＰＤＵを抽出することと、
前記部分的なＰＤＵにおける１又は複数の完全なサービス・データ・ユニット（ＳＤＵ）を上位通信層に提供することと
を備える方法。
【請求項２】
前記通信層において、異種ＰＤＵにおける前記部分的なＰＤＵのより大きな一部分を受信することを更に備える請求項１に記載の方法。
【請求項３】
前記部分的なＰＤＵと前記部分的なＰＤＵの前記より大きな一部分とから完全なＳＤＵをリアセンブルすることを更に備える請求項２に記載の方法。
【請求項４】
前記完全なＳＤＵを前記上位通信層に提供することを更に備える請求項３に記載の方法。
【請求項５】
前記完全なＳＤＵをリアセンブルすることは、前記部分的なＰＤＵのうちのＳＤＵの一部分と、前記部分的なＰＤＵの前記より大きな一部分のうちの異種ＳＤＵの一部分とを結合することを含む請求項３に記載の方法。
【請求項６】
前記部分的なＰＤＵと、前記部分的なＰＤＵの前記より大きな一部分とから完全なＰＤＵあるいはより大きな部分的なＰＤＵをリアセンブルすることを更に備える請求項２に記載の方法。
【請求項７】
前記部分的なＰＤＵにおいては不完全なＳＤＵである、前記より大きな部分的なＰＤＵあるいは前記完全なＰＤＵにおける完全なＳＤＵを、前記上位通信層に提供することを更に備える請求項６に記載の方法。
【請求項８】
前記通信層はラジオ・リンク制御（ＲＬＣ）層であり、前記異種通信層は、パケット・データ収束プロコル（ＰＤＣＰ）層である請求項１に記載の方法。
【請求項９】
前記ＰＤＵを前記通信層において受信することは、前記異種通信層に関連する１又は複数の完全なＰＤＵを更に備える前記ＰＤＵを、前記通信層において受信することを含む請求項１に記載の方法。
【請求項１０】
異種通信層に関連するパケット・データ・ユニット（ＰＤＵ）の不完全な一部分を含むＰＤＵを通信層においてデバイスから取得し、
前記ＰＤＵの前記不完全な一部分における１又は複数のサービス・データ・ユニット（ＳＤＵ）を上位通信層に供給し、
前記通信層において、異種ＰＤＵにおける前記ＰＤＵの前記不完全な一部分の追加の一部分を前記デバイスから受信する
ように構成された少なくとも１つのプロセッサと、
前記少なくとも１つのプロセッサに結合されたメモリと
を備える無線通信装置。
【請求項１１】
前記少なくとも１つのプロセッサは、前記ＰＤＵの前記不完全な一部分と、前記ＰＤＵの前記不完全な一部分の前記追加の一部分とから完全なＳＤＵを構築するように更に構成された請求項１０に記載の無線通信装置。
【請求項１２】
前記少なくとも１つのプロセッサは、少なくとも部分的に、前記ＰＤＵの前記不完全な一部分における不完全なＳＤＵの一部分を、前記ＰＤＵの前記不完全な一部分の前記追加の一部分における異種の不完全なＳＤＵの一部分と結合することによって、前記完全なＳＤＵを構築する請求項１１に記載の無線通信装置。
【請求項１３】
前記少なくとも１つのプロセッサは、前記完全なＳＤＵを前記上位通信層に供給するように更に構成された請求項１１に記載の無線通信装置。
【請求項１４】
前記少なくとも１つのプロセッサは、前記ＰＤＵの前記不完全な一部分と前記ＰＤＵの前記不完全な一部分の前記追加の一部分とから、前記ＰＤＵのより大きな一部分あるいは前記ＰＤＵの完全な一部分を構築するように更に構成された請求項１０に記載の無線通信装置。
【請求項１５】
前記少なくとも１つのプロセッサは、前記ＰＤＵの不完全な一部分においては不完全なＳＤＵである、前記ＰＤＵの完全な一部分あるいは前記ＰＤＵのより大きな一部分における完全なＳＤＵを、前記上位通信層に供給するように更に構成された請求項１４に記載の無線通信装置。
【請求項１６】
前記通信層は、ラジオ・リンク制御（ＲＬＣ）層であって、前記異種通信層は、パケット・データ収束プロトコル（ＰＤＣＰ）層である請求項１０に記載の無線通信装置。
【請求項１７】
前記通信層において前記デバイスから取得された前記ＰＤＵは、前記異種通信層に関連する１又は複数の完全なＰＤＵを更に備える請求項１０に記載の無線通信装置。
【請求項１８】
異種通信層に関連するパケット・データ・ユニット（ＰＤＵ）の不完全な一部分を含むＰＤＵを通信層においてデバイスから受信する手段と、
前記通信層において、前記デバイスから受信された前記ＰＤＵから、前記ＰＤＵの前記不完全な一部分を抽出する手段と、
前記ＰＤＵの前記不完全な一部分における１又は複数のサービス・データ・ユニット（ＳＤＵ）を上位通信層に提供する手段と
を備える装置。
【請求項１９】
前記ＰＤＵを受信する手段はその後、前記通信層において、前記デバイスから異種ＰＤＵにおける前記ＰＤＵの前記不完全な一部分の追加の一部分を受信する請求項１８に記載の装置。
【請求項２０】
前記ＰＤＵの前記不完全な一部分と前記ＰＤＵの前記不完全な一部分の前記追加の一部分とから完全なＳＤＵをリアセンブルする手段を更に備える請求項１９に記載の装置。
【請求項２１】
前記ＰＤＵの前記不完全な一部分における１又は複数のＳＤＵを前記上位通信層に提供する前記手段は更に、前記完全なＳＤＵを前記上位通信層に提供する請求項２０に記載の装置。
【請求項２２】
前記完全なＳＤＵをリアセンブルする前記手段は、前記ＰＤＵの前記不完全な一部分からの不完全なＳＤＵを、前記ＰＤＵの前記不完全な一部分の前記追加の一部分からの異種の不完全なＳＤＵと結合する請求項２０に記載の装置。
【請求項２３】
前記ＰＤＵの前記不完全な一部分を抽出する前記手段は、前記通信層において前記デバイスから受信された前記ＰＤＵから、前記ＰＤＵの前記不完全な一部分の前記追加の一部分を抽出し、前記ＰＤＵの前記不完全な一部分と前記ＰＤＵの前記不完全な一部分の前記追加の一部分とから、前記ＰＤＵのより大きな一部分をリアセンブルする請求項１９に記載の装置。
【請求項２４】
前記ＰＤＵの前記不完全な一部分における１又は複数のＳＤＵを前記上位通信層に提供する前記手段は更に、前記ＰＤＵの前記不完全な一部分においては不完全なＳＤＵである、前記ＰＤＵの前記より大きな一部分における完全なＳＤＵを前記上位通信層に提供する請求項２３に記載の装置。
【請求項２５】
前記通信層は、ラジオ・リンク制御（ＲＬＣ）層であり、前記異種通信層は、パケット・データ収束プロトコル（ＰＤＣＰ）層である請求項１８に記載の装置。
【請求項２６】
前記通信層において前記デバイスから受信された前記ＰＤＵは、前記異種通信層に関連する１又は複数の完全なＰＤＵを更に含む請求項１８に記載の装置。
【請求項２７】
コンピュータ読取可能媒体を備えるコンピュータ・プログラム製品であって、前記コンピュータ読取可能媒体は、
異種通信層に関連する部分的なパケット・データ・ユニット（ＰＤＵ）を備える、通信層におけるＰＤＵを受信することを少なくとも１つのコンピュータに実行させるコードと、
前記通信層において、前記ＰＤＵから前記部分的なＰＤＵを抽出することを前記少なくとも１つのコンピュータに実行させるコードと、
前記部分的なＰＤＵにおける１又は複数の完全なサービス・データ・ユニット（ＳＤＵ）を上位通信層に提供することを前記少なくとも１つのコンピュータに実行させるコードと
を備えるコンピュータ・プログラム製品。
【請求項２８】
前記コンピュータ読取可能媒体は、前記通信層において、異種ＰＤＵにおける前記部分的なＰＤＵの追加の一部分を受信することを、前記少なくとも１つのコンピュータに実行させるコードを更に備える請求項２７に記載のコンピュータ・プログラム製品。
【請求項２９】
前記コンピュータ読取可能媒体は、前記部分的なＰＤＵと前記部分的なＰＤＵの前記追加の一部分とから完全なＳＤＵをリアセンブルすることを、前記少なくとも１つのコンピュータに実行させるコードを更に備える請求項２８に記載のコンピュータ・プログラム製品。
【請求項３０】
前記コンピュータ読取可能媒体は、前記完全なＳＤＵを前記上位通信層に提供することを、前記少なくとも１つのコンピュータに実行させるコードを更に備える請求項２９に記載のコンピュータ・プログラム製品。
【請求項３１】
前記完全なＳＤＵをリアセンブルすることを前記少なくとも１つのコンピュータに実行させる前記コードは、前記部分的なＰＤＵのＳＤＵの一部分と、前記部分的なＰＤＵの前記追加の一部分の異種のＳＤＵの一部分とを結合する請求項２９に記載のコンピュータ・プログラム製品。
【請求項３２】
前記コンピュータ読取可能媒体は、前記部分的なＰＤＵと、前記部分的なＰＤＵの前記追加の一部分とから、前記部分的なＰＤＵのより大きな一部分をリアセンブルすることを前記少なくとも１つのコンピュータに実行させるコードを更に備える請求項２８に記載のコンピュータ・プログラム製品。
【請求項３３】
前記コンピュータ読取可能媒体は、前記部分的なＰＤＵにおいては不完全なＳＤＵである、前記ＰＤＵの前記より大きな一部分における完全なＳＤＵを、前記上位通信層に提供することを、前記少なくとも１つのコンピュータに実行させるコードを更に備える請求項３２に記載のコンピュータ・プログラム製品。
【請求項３４】
前記通信層はラジオ・リンク制御（ＲＬＣ）層であり、前記異種通信層は、パケット・データ収束プロコル（ＰＤＣＰ）層である請求項２７に記載のコンピュータ・プログラム製品。
【請求項３５】
前記通信層における前記ＰＤＵは、前記異種通信層に関連する１又は複数の完全なＰＤＵを更に備える請求項２７に記載のコンピュータ・プログラム製品。
【請求項３６】
異種通信層に関連するパケット・データ・ユニット（ＰＤＵ）の不完全な一部分を含むＰＤＵを通信層においてデバイスから取得するＰＤＵ受信構成要素と、
前記通信層において前記デバイスから受信された前記ＰＤＵから、前記ＰＤＵの前記不完全な一部分を抽出するＰＤＵアンバンドリング構成要素と、
前記ＰＤＵの前記不完全な一部分における１又は複数のサービス・データ・ユニット（ＳＤＵ）を、上位通信層に通信するＳＤＵ提供構成要素と  を備える装置。
【請求項３７】
前記ＰＤＵ受信構成要素はその後、前記通信層において、前記デバイスから異種ＰＤＵにおける前記ＰＤＵの前記不完全な一部分の追加の一部分を取得する請求項３６に記載の装置。
【請求項３８】
前記ＰＤＵの前記不完全な一部分と前記ＰＤＵの前記不完全な一部分の前記追加の一部分とから完全なＳＤＵを構築するＳＤＵリアセンブル構成要素を更に備える請求項３７に記載の装置。
【請求項３９】
前記ＳＤＵ提供構成要素は更に、前記完全なＳＤＵを前記上位通信層に通信する請求項３８に記載の装置。
【請求項４０】
前記ＳＤＵリアセンブル構成要素は、前記ＰＤＵの前記不完全な一部分からの不完全なＳＤＵを、前記ＰＤＵの前記不完全な一部分の前記追加の一部分からの異種の不完全なＳＤＵと結合して、前記完全なＳＤＵを構築する請求項３８に記載の装置。
【請求項４１】
前記ＰＤＵアンバンドリング構成要素は、前記通信層において前記デバイスから受信された前記ＰＤＵから、前記ＰＤＵの前記不完全な一部分の前記追加の一部分を抽出し、前記ＰＤＵの前記不完全な一部分と前記ＰＤＵの前記不完全な一部分の前記追加の一部分とから、前記ＰＤＵのより大きな一部分をリアセンブルする請求項３７に記載の装置。
【請求項４２】
前記ＳＤＵ提供構成要素は更に、前記ＰＤＵの前記不完全な一部分においては不完全なＳＤＵである、前記ＰＤＵの前記より大きな一部分における完全なＳＤＵを前記上位通信層に通信する請求項４１に記載の装置。
【請求項４３】
前記通信層は、ラジオ・リンク制御（ＲＬＣ）層であり、前記異種通信層は、パケット・データ収束プロトコル（ＰＤＣＰ）層である請求項３６に記載の装置。
【請求項４４】
前記通信層において前記デバイスから取得された前記ＰＤＵは、前記異種通信層に関連する１又は複数の完全なＰＤＵを更に含む請求項３６に記載の装置。
【発明の詳細な説明】
【関連出願】
【０００１】
本願は、“A METHOD AND APPARATUS FOR BUNDLING MULTIPLE IP PACKETS IN A WIRELESS COMMUNICATION SYSTEM,”と題され、２００９年１月７日に提出された米国特許仮出願６１／１４３１４２号の利益を権利主張するものである。上記出願の全文は、参照によって本明細書に組み込まれる。
【技術分野】
【０００２】
本開示は一般に無線通信に関し、特に、１又は複数のパケット・データ・ユニット（ＰＤＵ）において受信されるサービス・データ・ユニット（ＳＤＵ）をアンバンドリングすることに関する。
【背景技術】
【０００３】
無線通信システムは、例えば、音声やデータなどのような様々な種類の通信コンテンツを提供するために広く用いられている。典型的な無線通信システムは、利用可能なシステム・リソース（例えば、帯域幅や送信電力など）を共有することによって複数のユーザとの通信を支援することができる多元接続システムでありうる。このような多元接続システムの実例は、符号分割多元接続（ＣＤＭＡ）システム、時分割多元接続（ＴＤＭＡ）システム、周波数分割多元接続（ＦＤＭＡ）システム、直交周波数分割多元（ＯＦＤＭＡ）システムなどを含みうる。更に、このシステムは、第３世代パートナシップ・プロジェクト（３ＧＰＰ）、３ＧＰＰロング・ターム・エボリューション（ＬＴＥ）、ウルトラ・モバイル・ブロードバンド（ＵＭＢ）のような、仕様に適合しうる。
【０００４】
一般に、無線多元接続通信システムは、複数のモバイル・デバイスのための通信を同時に支援しうる。各モバイル・デバイスは、フォワード・リンクおよびリバース・リンクでの伝送によって１又は複数のアクセス・ポイント（例えば、基地局、フェムトセル、ピコセル、中継ノード、および／あるいはそれらに類似するもの）と通信しうる。フォワード・リンク（すなわち、下りリンク）は、アクセス・ポイントからモバイル・デバイスへの通信リンクを称し、リバース・リンク（すなわち、上りリンク）は、モバイル・デバイスからアクセス・ポイントへの通信リンクを称する。更に、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システムなどによって確立されうる。それに加えて、ピア・ツー・ピア無線ネットワーク構成において、モバイル・デバイスは、その他のモバイル・デバイスと（および／あるいはアクセス・ポイントが、その他のアクセス・ポイントと）通信しうる。
【０００５】
無線通信技術が進歩し、デバイスが異なる種類のデータを受信および処理することに関してより多用途に使用可能になるとともに、デバイス通信のための帯域幅需要は、特にジャスト・イン・タイム処理のために増加する。この増加は、同じ期間内により多くの数のパケットをデバイスに伝達することが要求されることによってもたらされる。現在、パケット・データ収束プロトコル（ＰＤＣＰ）パケット・データ・ユニット（ＰＤＵ）は、ＩＰパケットを１つしか含み得ない。これによって、パケット・レートが増加するとともにラジオ・リンク制御（ＲＬＣ）層の複雑性の増大が結果としてもたらされる。それに加えて、ＲＬＣ  ＰＤＵ内部のＰＤＣＰサービス・データ・ユニット（ＳＤＵ）は、異なる暗号同期（crypt-syncs)を用いて暗号化され、その結果、複数の暗号化エンジン呼出によりＰＤＣＰの複雑性が増大する。このように、より多くのパケットを受信および処理することは、追加の電力を消費し、デバイス性能および電池寿命の低下を結果としてもたらす。更に、送信するＩＰパケットの数の増加とともに満たすことが困難となる、ＰＤＣＰおよびＲＬＣについての絶対時間予算(absolute time budgets)が存在しうる。
【発明の概要】
【０００６】
権利主張される要旨の様々な態様の基本的認識を提供するために、このような態様の簡略化された概要が以下に示される。この概要は、意図される態様全てについての広範囲な要約ではなく、重要事項や決定的要素を識別することも、そのような態様の範囲を線引くことも意図されていない。この概要の唯一の目的は、後に示されるより詳細な説明に対する前置きとして、開示される態様のいくつかの概念を簡略化形式で示すことである。
【０００７】
１又は複数の実施形態およびそれに対応する開示によると、１又は複数の通信層において送信されるパケットのバンドリング(bundling)およびアンバンドリング(unbundling)を容易にすることに関連して様々な態様が説明される。これに関連して、多数の小さなパケットとは対照的に、少数の大きなパケットが無線ネットワークにおけるデバイス間で通信されうる。このように、読取ヘッダ、暗号化パケットなどの追加のオーバヘッドが所定の通信について軽減され、結果としてデバイスの効率が増進される。例えば、第１の通信層における複数のパケット・データ・ユニット（ＰＤＵ）は、第２の通信層における複数のＰＤＵあるいはそれらのうちの複数の部分のバンドリングを可能にするために拡張されうる。この実例において、第１の層のＰＤＵによって受信された第２の通信層のＰＤＵはアンバンドリングされうる。そして、第２の通信層の関連するサービス・データ・ユニット（ＳＤＵ）が取り出され、上位層に提供されうる。１つの実例において、受信された部分的なＰＤＵにおける完全なＳＤＵは上位層に転送されるが、この部分的なＰＤＵは部分的なＳＤＵも含みうる。第２の層のＰＤＵの別の一部分（例えば、残りの一部分あるいは完全な一部分）が第１の層の後続のＰＤＵにおいて受信されると、ＰＤＵの新たな一部分における部分的なＳＤＵは、第１の受信された部分的なＰＤＵの部分的なＳＤＵと結合され、完全なＳＤＵ（あるいは、ＳＤＵのより大きな部分）を構築しうる。完全なＳＤＵが構築されると、それも上位通信層に提供されうる。
【０００８】
別の実例において、第１の通信層の１又は複数のＰＤＵにおける、部分的なＰＤＵおよび続いて受信された１又は複数のＰＤＵの部分から、完全なＰＤＵが第２の通信層において構築されうる。部分的なＰＤＵが構築され、その結果として追加の完全なＳＤＵが生じると、この完全なＳＤＵは上位通信層に転送されうる。何れの場合においても、部分的なＰＤＵの伝送を可能にすることと、不完全なＰＤＵの残りの部分を待つことなく完全なＳＤＵを処理することとによって、デバイス効率の増進が提供される。更に、１つの実例において、第１の通信層は、ラジオ・リンク制御（ＲＬＣ）層あるいはそれに類似する層であり、第２の通信層は、パケット・データ収束プロトコル（ＰＤＣＰ）層あるいはそれに類似する層でありうる。
【０００９】
関連する態様によると、異種通信層に関連する部分的なＰＤＵを備えるＰＤＵを通信層において受信することを含む方法が提供される。この方法は、通信層においてＰＤＵから部分的なＰＤＵを抽出することと、部分的なＰＤＵにおける１又は複数の完全なＳＤＵを上位通信層に提供することとを更に含む。
【００１０】
別の態様は、無線通信装置に関連する。この無線通信装置は、異種通信層に関連するＰＤＵの不完全な一部分を含むＰＤＵを通信層においてデバイスから取得し、ＰＤＵの不完全な一部分における１又は複数のＳＤＵを上位通信層に供給するように構成された少なくとも１つのプロセッサを含みうる。この少なくとも１つのプロセッサは、デバイスから異種ＰＤＵにおけるＰＤＵの不完全な一部分の追加の一部分を通信層において受信するように更に構成されている。この無線通信装置は更に、この少なくとも１つのプロセッサに結合されたメモリを備える。
【００１１】
更に別の態様は、装置に関連している。この装置は、異種通信層に関連するＰＤＵの不完全な一部分を含むＰＤＵを通信層においてデバイスから受信する手段と、通信層においてデバイスから受信されたこのＰＤＵからＰＤＵの不完全な一部分を抽出する手段とを含む。この装置は、ＰＤＵの不完全な一部分における１又は複数のＳＤＵを上位通信層に提供する手段を更に含む。
【００１２】
更に別の態様は、コンピュータ・プログラム製品に関連している。これは、異種通信層に関連する部分的なＰＤＵを備える、通信層におけるＰＤＵを受信することを少なくとも１つのコンピュータに実行させるコードを含むコンピュータ読取可能媒体を有しうる。このコンピュータ読取可能媒体は、通信層においてＰＤＵから部分的なＰＤＵを抽出することを少なくとも１つのコンピュータに実行させるコードと、部分的なＰＤＵにおける１又は複数の完全なＳＤＵを上位通信層に提供することを少なくとも１つのコンピュータに実行させるコードとを更に含みうる。
【００１３】
更に、追加的な態様は、異種通信層に関連するＰＤＵの不完全な一部分を含むＰＤＵを通信層においてデバイスから取得するＰＤＵ受信構成要素と、通信層においてデバイスから受信されたＰＤＵからＰＤＵの不完全な一部分を抽出するＰＤＵアンバンドリング構成要素とに関連している。この装置は、ＰＤＵの不完全な一部分における１又は複数のＳＤＵを上位通信層に通信するＳＤＵ提供構成要素を更に含みうる。
【００１４】
以上の目的、およびそれに関連する目的の達成に向けて、１又は複数の実施形態は、本明細書において以下に完全に説明される特徴、特に請求項において指摘されるような特徴を備える。以下の説明および添付の図面は、１又は複数の実施形態の例示的な特定の態様を詳細にわたって説明する。しかし、これらの態様は、様々な実施形態の原理が用いられうる様々な様式のうちのほんのいくつかを示しているに過ぎず、説明される実施形態は、このような全ての態様とそれらに対する同等物とを含むよう意図されている。
【図面の簡単な説明】
【００１５】
【図１】図１は、部分的なパケット・データ・ユニット（ＰＤＵ）をバンドリングおよびアンバンドリングするためのシステムのブロック図である。
【図２】図２は、無線通信環境の中で利用するための実例的な通信装置の例示である。
【図３】図３は、部分的なＰＤＵをバンドリングおよびアンバンドリングすることと、それらのサービス・データ・ユニット（ＳＤＵ）を処理することとを達成する無線通信ネットワークの例を示す。
【図４】図４は、ＰＤＵの残りの部分が受信されると、複数の不完全なＳＤＵをリアセンブルする通信フローの例を示す。
【図５】図５は、ＰＤＵの残りの部分が受信されると、複数の不完全なＰＤＵをリアセンブルする通信フローの例を示す。
【図６】図６は、部分的なＰＤＵが受信された場合に、それらを処理する実例的な方法体系のフロー図である。
【図７】図７は、不完全なＰＤＵと、この不完全なＰＤＵの受信された残りの部分とから、ＳＤＵをリアセンブルする実例的な方法体系のフロー図である。
【図８】図８は、不完全なＰＤＵを処理し、この不完全なＰＤＵの残りの部分を受信するとリアセンブルする実例的な方法体系のフロー図である。
【図９】図９は、残りの部分を待つことなく部分的なＰＤＵを処理することを容易にする実例的な装置のブロック図である。
【図１０】図１０は、本明細書において説明される機能の様々な態様を実施するために利用されうる実例的な無線通信デバイスのブロック図である。
【図１１】図１１は、本明細書において説明された機能の様々な態様を実施するために利用されうる実例的な無線通信デバイスの別のブロック図である。
【図１２】図１２は、本明細書において説明されうる様々な態様に従う無線多元接続通信システムの例を示す。
【図１３】図１３は、本明細書において説明される様々な態様が機能する実例的な無線通信システムを例示するブロック図である。
【発明を実施するための形態】
【００１６】
権利主張される要旨の様々な態様が、図面の参照と共に説明される。ここにおいて、同一符番は、同一要素を示すために使用されうる。以下の記述において、説明のために、１又は複数の態様の完全な理解を提供するために多くの特定の詳細が説明される。しかし、こういった態様が、これらの特定の詳細なしに実践されうることは明白である。その他の実例において、周知の構造およびデバイスは、１又は複数の態様を説明することを容易にするためにブロック図で示される。
【００１７】
用語「構成要素」、「モジュール」、「システム」などは、本願において使用される際、コンピュータに関連するエンティティ、例えば、ハードウェア、ファームウェア、ハードウェアとソフトウェアとの組合せ、ソフトウェア、実行中のソフトウェアの何れかを称するように意図されている。例えば、構成要素は、プロセッサ上で動作する処理や、集積回路や、オブジェクトや、実行ファイルや、実行スレッドや、プログラムおよび／又はコンピュータであるが、それらに限定はされない。実例として、コンピューティング・デバイス上で動作するアプリケーションと、コンピューティング・デバイスとの両方が構成要素でありうる。１又は複数の構成要素が、処理および／又は実行スレッド内に存在し、１つのコンピュータ上に局在化されるおよび／あるいは２以上のコンピュータ間で分散されうる。それに加えて、これらの構成要素は、格納された様々なデータ構造を有する様々なコンピュータ読取可能媒体から実行されうる。（例えば、ローカル・システムにおいてや、分散システムにおいてや、および／又は、その他のシステムを伴うインターネットのようなネットワークにわたって、信号によって別の構成要素と相互作用する１つの構成要素からのデータのような）１又は複数のデータ・パケットを有する信号に従うような、ローカルおよび／又はリモートな処理によって構成要素は通信しうる。
【００１８】
更に、無線端末および／あるいは基地局に関連付けて、様々な態様が本明細書において説明される。無線端末は、音声および／あるいはデータの接続性をユーザに提供するデバイスを称しうる。無線端末は、ラップトップ・コンピュータあるいはデスクトップ・コンピュータのようなコンピューティング・デバイスに接続されうる、あるいは、携帯情報端末（ＰＤＡ）のような自立型デバイスでありうる。無線端末は、システム、サブキャリア・ユニット、サブキャリア局、モバイル局、モバイル、遠隔局、アクセス・ポイント、遠隔端末、アクセス端末、ユーザ端末、ユーザ・エージェント、ユーザ・デバイス、あるいはユーザ器機（ＵＥ）とも呼ばれうる。無線端末は、サブキャリア局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続性能を有するハンドヘルド・デバイス、あるいは無線モデムに接続されたその他の処理デバイスでありうる。基地局（例えば、アクセス・ポイントすなわち発展型ノードＢ（ｅＮＢ））は、エア・インタフェースによって１又は複数のセクタを介して無線端末と通信するアクセス・ネットワークにおけるデバイスを称しうる。基地局は、受信されたエア・インタフェース・フレームをＩＰパケットに変換することによって、無線端末と、インターネット・プロトコル（ＩＰ）ネットワークを含みうる他のアクセス・ネットワークとの間のルータとしての役目を務める。この基地局は更に、エア・インタフェースについての属性の管理を調整する。
【００１９】
更に、本明細書において説明される様々な機能は、ハードウェア、ソフトウェア、ファームウェア、あるいはそれら任意の組合せにおいて実施されうる。ソフトウェアにおいて実現される場合、これらの機能は、１又は複数の命令群あるいはコードとして、コンピュータ読取可能媒体に格納されうる、もしくはそれによって送信されうる。コンピュータ読取可能媒体は、コンピュータ記憶媒体と、ある場所から別の場所へのコンピュータ・プログラムの転送を容易にする任意の媒体を含む通信媒体との両方を含む。記憶媒体は、コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光ディスク記憶装置や、磁気ディスク記憶装置もしくはその他の磁気記憶デバイスや、あるいは命令群もしくはデータ構造の形態で希望のプログラム・コードを伝達するあるいは格納するために使用され、コンピュータ、あるいはプロセッサによってアクセスされうる、その他任意の媒体を備えうる。更に、任意のコネクションが適切にコンピュータ読取可能媒体と称される。例えば、同軸ケーブルや、光ファイバ・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバ・ケーブルや、ツイスト・ペアや、ＤＳＬや、あるいは赤外線、無線、及びマイクロ波のような無線技術が、媒体の定義に含まれる。本明細書で使用されるようなディスク（ｄｉｓｋ）及びディスク（ｄｉｓｃ）は、コンパクト・ディスク（ＣＤ）（ｄｉｓｃ）、レーザ・ディスク（ｄｉｓｃ）、光学ディスク、デジタル・バーサタイル・ディスク（ＤＶＤ）（ｄｉｓｃ）、フロッピー（登録商標）ディスク（ｄｉｓｋ）及びブルーレイ（登録商標）ディスク（ｄｉｓｃ）（ＢＤ）を含む。 ここで、ディスク（ｄｉｓｋ）は通常データを磁気的に再生する一方、ディスク（ｄｉｓｃ）はレーザを用いてデータを光学的に再生する。上記のものによる組合せも、コンピュータ読取可能媒体の範囲内に含まれるべきである。
【００２０】
本明細書において説明された技術は、符号分割多元接続多元アクセス（ＣＤＭＡ）システム、時分割多元接続多元アクセス（ＴＤＭＡ）システム、周波数分割多元アクセス（ＦＤＭＡ）システム、直交周波数分割アクセス（ＯＦＤＭＡ）システム、単一キャリアＦＤＭＡ（ＳＣ−ＦＤＭＡ）システム、およびその他のシステムのような様々な無線通信システムのために使用されうる。用語「システム」および「ネットワーク」は、本明細書において、しばしば置換可能に使用される。ＣＤＭＡネットワークは、ユニバーサル地上ラジオ・アクセス（ＵＴＲＡ）やｃｄｍａ２０００などのようなラジオ技術を実現しうる。ＵＴＲＡは、広帯域ＣＤＭＡ（Ｗ−ＣＤＭＡ）およびＣＤＭＡのその他の変形を含む。ｃｄｍａ２０００は、ＩＳ−２０００規格、ＩＳ−９５規格、ＩＳ−８５６規格をカバーする。ＴＤＭＡシステムは、グローバル・システム・フォー・モバイル・コミュニケーション（ＧＳＭ（登録商標））のような無線技術を実現しうる。ＯＦＤＭＡシステムは、例えば、発展型ＵＴＲＡ（Ｅ−ＵＴＲＡ）、ウルトラ・モバイル・ブロードキャスト（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０．Ｆｌａｓｈ−ＯＦＤＭ（登録商標）などのような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用する最新リリースである。これは、下りリンクでＯＦＤＭＡを用いて、上りリンクでＳＣ−ＦＤＭＡを用いる。ＵＴＲＡ、Ｅ−ＵＴＲＡ、ＵＭＴＳ、ＬＴＥ、およびＧＳＭは第３世代パートナシップ・プロジェクト（３ＧＰＰ）と命名された団体からの文書において説明される。加えて、ＣＤＭＡ２０００およびＵＭＢは、「第３世代パートナシップ・プロジェクト２」（３ＧＰＰ２）と命名された団体からの文書において説明される。
【００２１】
多数のデバイス、構成要素、モジュール等を含みうるシステムの観点から、様々な態様が示されるだろう。様々なシステムが、追加のデバイス、構成要素、モジュール等を含むこと、および／あるいは、図面に関連して議論されるそれらのデバイス、構成要素、モジュールなどのいくつか、あるいは全てを含み得ないことが理解されるべきである。これらのアプローチの組合せも使用されうる。
【００２２】
図面を参照すると、図１は、単一のＰＤＣＰパケット・データ・ユニット（ＰＤＵ）における複数のパケット・データ収束プロトコル（ＰＤＣＰ）サービス・データ・ユニット（ＳＤＵ）のバンドリングおよびアンバンドリングを容易にする無線ネットワーク１００の例を示している。無線ネットワーク１００は、無線ネットワークによって互いに通信する無線デバイス１０２、１０４を含む。１つの実例において、無線デバイス１０２、１０４は、例えば、マクロセル・アクセス・ポイント、フェムトセル又はピコセル・アクセス・ポイント、ｅＮＢ、モバイル基地局、それらの一部、および／あるいは無線ネットワークへのアクセスを提供する、実質的に任意のデバイスのようなアクセス・ポイントであり得る。別の実例において、無線デバイス１０２、１０４は、例えば、ＵＥ、ＵＥの一部、および／あるいは無線ネットワークへのアクセスを受信する実質的に任意のデバイスのような、モバイル・デバイスであり得る。
【００２３】
無線デバイス１０２は、無線デバイス１０４とのデータの送信／受信を容易にする複数の通信層を備えうる。例えば、無線デバイス１０２は、１又は複数の無線デバイスに／からラジオ・リンク制御（ＲＬＣ）通信を送信／受信するＲＬＣ層１０６と、ＲＬＣ層１０６にＰＤＣＰ  ＰＤＵを提供し、および／あるいは、ＲＬＣ層１０６からＰＤＣＰ  ＰＤＵを取り出すＰＤＣＰ層１０８（ここではＰＤＵが１又は複数のＰＤＣＰ  ＳＤＵを備える）と、１又は複数の上位層１１０とを含みうる。この上位層１１０は、ＰＤＣＰ層１０８からＰＤＣＰ  ＳＤＵを受信し、および／あるいはバンドリングと１又は複数の無線デバイスへの伝送とのためにＰＤＣＰ層１０８にパケットを提供しうる。同様に、無線デバイス１０４は、同じあるいは類似の機能を提供する、ＲＬＣ層１１２と、ＰＤＣＰ層１１４と、１又は複数の上位層１１６とを含みうる。例えば、ＳＤＵは、送信された上位層パケットのために利用されうる。従って、例えば、ＳＤＵは１又は複数の上位層パケットあるいはそのうちの部分を備えうる。ＰＤＣＰ  ＰＤＵは１又は複数のＳＤＵを備えうる、また、ＲＬＣ  ＰＤＵは１又は複数のＰＤＣＰ  ＰＤＵあるいはそのうちの部分を備えうる。
【００２４】
実例によると、上位層１１０は、１又は複数のデバイスに送信するためのパケットを生成しうるか、さもなければ受信しうる。例えば、上位層１１０は、アプリケーション層、インターネット・プロトコル（ＩＰ）層、および／あるいはこれらと同等のものを含みうる。ＰＤＣＰ層１０８は、上位層１１０からパケットを受信し、パケットを送信するために１又は複数のＰＤＣＰ  ＳＤＵを生成しうる。ＰＤＣＰ層１０８は追加的にＰＤＣＰ  ＰＤＵを作成しうる。これは、少なくとも、１又は複数のＰＤＣＰ  ＳＤＵに関連するシーケンス・ナンバを含むヘッダと共に１又は複数のＰＤＣＰ  ＳＤＵを備えうる。ＰＤＣＰ層１０８は、ＰＤＣＰ  ＰＤＵをＲＬＣ層１０６に提供しうる。これは、１又は複数のＰＤＣＰ  ＰＤＵあるいはそのうちの部分を、ＲＬＣヘッダと共にＲＬＣ  ＰＤＵ内に位置付け、ＲＬＣ  ＰＤＵを無線デバイス１０４に送信する。ＲＬＣ層１１２は、無線デバイス１０２からＲＬＣ  ＰＤＵを受信しうる。
【００２５】
１つの実例において、ＲＬＣ層１１２は、ＲＬＣ  ＰＤＵ内に備えられている部分的なＰＤＣＰ  ＰＤＵを、ＰＤＣＰ層１１４に伝達しうる。これに関して、部分的なＰＤＣＰ  ＰＤＵは、部分的なＰＤＣＰ  ＳＤＵを備えうる。説明されたように、例えば、ＰＤＣＰ層１１４は、部分的なＰＤＣＰ  ＳＤＵを完全にするＳＤＵの部分を備える後続のＰＤＣＰ  ＰＤＵが受信されると、この受信された部分的なＰＤＣＰ  ＳＤＵをリアセンブルしうる。別の実例において、ＲＬＣ層１１２は、前の部分的なＰＤＣＰ  ＰＤＵの別の一部分（例えば、残りの一部分）を受信すると、完全な（あるいは、さらに完全にされた部分的な）ＰＤＣＰ  ＰＤＵとして、前の部分的なＰＤＣＰ  ＰＤＵを再伝達しうる。何れかの実例において、ＰＤＣＰ層１１４は、完全なＰＤＣＰ  ＳＤＵを抽出し、完全なＳＤＵおよび／あるいは１又は複数の関連するパケットを上位層１１６に提供しうる。
【００２６】
これに関して、複数のＰＤＣＰ  ＰＤＵおよび／あるいはそのうちの部分が単一のＲＬＣ  ＰＤＵにおいて受信されることができ、これは、増加したパケット・レートのために、このＰＤＣＰ  ＰＤＵおよび／あるいは部分における完全なＰＤＣＰ  ＳＤＵの効率的な伝送あるいは受信を提供する。これは、完全なＰＤＣＰ  ＰＤＵを待つことなく完全なＰＤＣＰ  ＳＤＵを上位層に提供することによって、部分的なＰＤＣＰ  ＰＤＵが処理されうるためである。ＰＤＣＰ  ＰＤＵのその他の部分がＲＬＣ  ＰＤＵにおいて受信されると、追加の完全なＳＤＵが、ＰＤＣＰ  ＰＤＵの部分からリアセンブルされたのであろうとそうでなかろうと、上位層に提供されうる。その他の層が、本明細書において説明される概念を利用して、パケットのより効率的な伝送および受信のために、そのパケットをバンドリングおよびアンバンドリングできるということが理解されるべきである。例えば、３ＧＰＰ、３ＧＰＰ  ＬＴＥ、ＵＭＴＳ、ＣＤＭＡ、ＷｉＭＡＸ、ＷｉＦｉおよび／あるいはその他の技術が、１又は複数の通信層において、本明細書において示された概念を利用して、複数のＰＤＵおよび／あるいはそのうちの部分を下位層のＰＤＵにおいて効率的に送信しうる。
【００２７】
次に図２を参照すると、無線通信ネットワークに関与しうる通信装置２００が例示されている。通信装置２００は、アクセス・ポイント、モバイル・デバイス、それらの一部、あるいは、無線ネットワークにおいて通信を受信する実質的に任意のデバイスでありうる。通信装置２００は、無線ネットワークにおいて１又は複数のデバイス（図示せず）からＰＤＵを取得するＰＤＵ受信構成要素２０２と、ＰＤＵから１又は複数のＳＤＵを抽出するＰＤＵアンバンドリング構成要素２０４と、受信されたＳＤＵの複数の部分を、１又は複数の完全なＳＤＵに結合するＳＤＵリアセンブル構成要素２０６と、完全なＳＤＵを処理のために１又は複数の上位通信層に送信するＳＤＵ提供構成要素２０８とを含みうる。
【００２８】
実例によると、ＰＤＵ受信構成要素２０２は、１又は複数のデバイスによって送信されるＰＤＵあるいはその一部分を取得し、このＰＤＵは複数のＳＤＵあるいはそのうちの部分を備えうる。加えて、ＰＤＵは、例えば、順序通りのＳＤＵの伝達を容易にするヘッダの後に、ＳＤＵあるいはＳＤＵの部分のためのシーケンス・ナンバを含む１又は複数のヘッダを備えうる。ＰＤＵアンバンドリング構成要素２０４は、ＰＤＵあるいはその一部分から１又は複数のＳＤＵあるいはそのうちの部分を抽出し、１又は複数のＳＤＵがＳＤＵ全体である場合、ＳＤＵ提供構成要素２０８は、処理のために、ＳＤＵ全体を上位層に供給しうる。ＰＤＵアンバンドリング構成要素２０４によってＳＤＵの一部分がＰＤＵの一部分から取り出される場合、例えば、ＳＤＵの先頭の一部分が（例えば、前のＰＤＵの一部分の末端部で）以前に受信されていると、ＳＤＵリアセンブル構成要素２０６は、複数の部分からＳＤＵ全体（あるいは、ＳＤＵの残りの一部分が受信されない場合は、より大きな部分的なＰＤＵ）を作成できる。ＳＤＵ全体が複数の部分から構築されると、ＳＤＵ提供構成要素２０８は、ＳＤＵ全体を上位層に送信しうる。
【００２９】
同様に、これに関連して、ＰＤＵアンバンドリング構成要素２０４によってＰＤＵの一部分から抽出されたＳＤＵが、合致する一部分を有していない（例えば、このＳＤＵの一部分が、ＰＤＵの一部分の末端部から抽出される）場合、ＰＤＵ受信構成要素２０２は、１又は複数のデバイスから、ＰＤＵの次の一部分（１つの実例において、残りの一部分）を取得することができ、これはＳＤＵの一部分の残りを（例えば、ＰＤＵにおける第１のＳＤＵの一部分として）含む。ＰＤＵアンバンドリング構成要素２０４は、ＰＤＵから残りの一部分を取り出し、ＳＤＵリアセンブル構成要素２０６は複数の部分を結合して、処理のためにＳＤＵ提供構成要素２０８によって上位層に送信されうるＳＤＵ全体を作成する。ＰＤＵ受信構成要素２０２は、ＰＤＵの次の一部分と共に、異種ＰＤＵの少なくとも一部分も受信しうるということが理解されるべきである。
【００３０】
しかし、別の実例において、ＰＤＵ受信構成要素２０２は、リアセンブルが必要とされない（従って、ＳＤＵリアセンブル構成要素２０６も必要とされない）ような完全なＳＤＵを有するＰＤＵあるいはそのうちの部分を受信しうる。この実例において、ＰＤＵ受信構成要素２０２は、下位通信層から１又は複数のＳＤＵあるいはそのうちの部分を有するＰＤＵあるいはＰＤＵの一部分を取得しうる。ＰＤＵアンバンドリング構成要素２０４は、ＰＤＵあるいはＰＤＵの一部分から、ＳＤＵ全体を抽出し、どんなＳＤＵ部分をも無視しうる。その後、ＰＤＵ受信構成要素２０２は、下位の通信層からＰＤＵ全体（あるいは、より大きな一部分）を取得しうる。これは、一部分が以前に受信された完全なＳＤＵを備える。ＳＤＵ提供構成要素２０８は、一部分が以前に受信された完全なＳＤＵを、上位層に送信しうる。１つの実例において、ＰＤＵは、ＰＤＵ受信構成要素２０２がＰＤＵの一部分の受信の後に続いて完全なＰＤＵを受信しうるように、以前に受信されたＳＤＵ全体も含みうる。このように、説明されたように、ＳＤＵ提供構成要素２０８は、一部分を受信すると、ＰＤＵの一部分において受信されたＳＤＵ全体を上位層に提供し、その後、以前に部分的にのみ受信された、ＰＤＵ全体からのＳＤＵ全体を提供して、ＳＤＵの効率的な受信および処理を容易にしうる。
【００３１】
１つの実例において、ＰＤＵ受信構成要素２０２は、通信装置２００のＲＬＣ層からＰＤＣＰ  ＰＤＵを受信しうる。従って、この実例において、ＰＤＵアンバンドリング構成要素２０４は、説明されたように、ＰＤＣＰ  ＳＤＵあるいは関連する複数の部分にＰＤＣＰ  ＰＤＵをアンバンドリングしうる。ＰＤＣＰ  ＳＤＵの部分が全体として受信されると、ＳＤＵ提供構成要素２０８は、説明されたように、ＰＤＣＰ  ＳＤＵを上位層に送信しうる。その他の技術におけるその他のプロトコル層が、類似の機能を用いて、説明されたように１又は複数のＰＤＵ内のＳＤＵの効率的な受信および処理を提供できるということが理解されるべきである。
【００３２】
図３を参照すると、無線ネットワークにおける効率的な通信のためにＰＤＣＰパケットをバンドリングおよびアンバンドリングすることを容易にする無線通信システム３００が例示されている。システム３００は、異種無線デバイス１０４と通信する無線デバイス１０２を含む。説明されたように、無線デバイス１０２、１０４は、無線ネットワーク（図示せず）に対するアクセスを受信および／あるいは提供するために通信する実質的に任意の種類の基地局あるいは（個別に電力供給されるデバイスのみでなく、例えば、モデムも含む）モバイル・デバイスでありうる。更に、システム３００は、ＭＩＭＯシステムでありうる、および／あるいは、１又は複数の無線ネットワーク・システムの仕様（例えば、ＥＶ−ＤＯ、３ＧＰＰ、３ＧＰＰ２、３ＧＰＰ  ＬＴＥ、ＷｉＭＡＸなど）に適合しうる。それに加えて、無線デバイス１０２の構成要素および機能は、例えば、同様の機能を提供するように、無線デバイス１０４内に存在でき、又、逆もまた同様である。
【００３３】
無線デバイス１０２は、無線ネットワークにわたって送信するためのパケットあるいはその他のデータ・ユニットを取得する上位層データ受信構成要素３０２と、パケットあるいはその他のデータ・ユニットを送信するための１又は複数のＰＤＣＰ  ＳＤＵを生成するＰＤＣＰ  ＳＤＵ作成構成要素３０４と、１又は複数のＰＤＣＰ  ＳＤＵをトランスポートするためのＰＤＣＰ  ＰＤＵを初期化するＰＤＣＰ  ＰＤＵ作成構成要素３０６と、１又は複数のＰＤＣＰ  ＰＤＵあるいはそのうちの部分を送信するためのＲＬＣ  ＰＤＵを作成するＲＬＣ  ＰＤＵ生成構成要素３０８と、ＲＬＣ  ＰＤＵを１又は複数のデバイスに送信するＲＬＣ送信構成要素３１０とを備えうる。
【００３４】
無線デバイス１０４は、無線ネットワークにおける１又は複数の無線デバイスからＲＬＣ  ＰＤＵを取得しうるＲＬＣ受信構成要素３１２と、ＲＬＣ  ＰＤＵから１又は複数のＰＤＣＰ  ＰＤＵあるいはそのうちの部分を取り出しうるＰＤＣＰ  ＰＤＵ抽出構成要素３１４と、ＰＤＣＰ  ＳＤＵを、受信されたこれらの部分から、構築するオプションのＰＤＣＰ  ＳＤＵリアセンブル構成要素３１６と、完全なＰＤＣＰ  ＳＤＵパケットを取得するＰＤＣＰ  ＳＤＵ抽出構成要素３１８と、ＰＤＣＰ  ＳＤＵパケットに備えられた上位層データを決定し、このデータを１又は複数の上位層に提供する上位層データ提供構成要素３２０とを含みうる。
【００３５】
実例によると、アプリケーション層のような、無線デバイス１０２の上位層は、上位層データ受信構成要素３０２に、１又は複数のパケット（例えば、ＩＰパケット）を提供しうる。パケットが１又は複数の異種無線デバイスに送信されるべきであることを決定すると、上位層データ受信構成要素３０２は、ＰＤＣＰ  ＳＤＵ作成構成要素３０４に、パケットあるいはそのうちの部分を提供しうる。ＰＤＣＰ  ＳＤＵ作成構成要素３０４は、パケットのための１又は複数のＰＤＣＰ  ＳＤＵを生成しうる。１つの実例において、ＰＤＣＰ  ＳＤＵ作成構成要素３０４は、複数のパケットあるいはそれらのうちの部分のためのＰＤＣＰ  ＳＤＵを生成しうる。ＰＤＣＰ  ＰＤＵ作成構成要素３０６は、１又は複数のＰＤＣＰ  ＳＤＵを備えるＰＤＣＰ  ＰＤＵを生成しうる。実例において、ＰＤＣＰ  ＰＤＵ作成構成要素３０６は、ＰＤＣＰ  ＳＤＵの順序通りの伝達および受信を容易にするために、少なくとも、ＰＤＣＰ  ＰＤＵにおける１又は複数のＰＤＣＰ  ＳＤＵのシーケンス・ナンバを示すヘッダをＰＤＣＰ  ＰＤＵに含めうる。
【００３６】
ＲＬＣ  ＰＤＵ生成構成要素３０８は、ＲＬＣ層で１又は複数のＰＤＣＰ  ＰＤＵあるいはそのうちの部分を送信するためにＲＬＣ  ＰＤＵを作成しうる。１つの実例において、ＲＬＣ  ＰＤＵ生成構成要素３０８は、複数のＰＤＣＰ  ＰＤＵおよび／あるいはそれらのうちの部分をバンドリングしうる。例えば、ＲＬＣ  ＰＤＵにおける最初のＰＤＣＰ  ＰＤＵおよび最後のＰＤＣＰ  ＰＤＵは、ＰＤＵ全体あるいはそのうちの部分であり、ＲＬＣ  ＰＤＵの中間におけるその他のＰＤＣＰ  ＰＤＵは、ＰＤＵ全体でありうる。それに加えて、ＲＬＣ  ＰＤＵ生成構成要素３０８は、所定のＲＬＣ  ＰＤＵのためのＲＬＣヘッダを挿入しうる。これは、順序通りの伝達および受信を容易にするＲＬＣ  ＰＤＵのシーケンス・ナンバを少なくとも含みうる。ＲＬＣ送信構成要素３１０は、１又は複数のＲＬＣ  ＰＤＵを無線デバイス１０４に送信しうる。
【００３７】
ＲＬＣ受信構成要素３１２は、無線デバイス１０４によって送信された１又は複数のＲＬＣ  ＰＤＵを取得しうる。これらは、説明されたように、１又は複数のＰＤＣＰ  ＰＤＵあるいはそのうちの部分を含みうる。ＰＤＣＰ  ＰＤＵ抽出構成要素３１４は、ＲＣＬ  ＰＤＵから１又は複数のＰＤＣＰ  ＰＤＵおよび／あるいはＰＤＵの部分を取り出し、存在する場合は、ＰＤＣＰ  ＳＤＵリアセンブル構成要素３１６、あるいは、ＰＤＣＰ  ＳＤＵ抽出構成要素３１８に、ＰＤＣＰ  ＰＤＵおよび／あるいはＰＤＵの部分を提供しうる。ここで、ＰＤＣＰ  ＰＤＵ抽出構成要素３１４がＳＤＵをリアセンブルする。説明されたように、ＲＬＣ  ＰＤＵは、ＰＤＣＰ  ＰＤＵの部分、もって、ＰＤＣＰ  ＳＤＵの部分を含みうる。このように、１つの実例において、ＰＤＣＰリアセンブル構成要素３１６は、１又は複数のＰＤＣＰ  ＳＤＵあるいはそのうちの部分を備えるＰＤＣＰ  ＰＤＵの一部分を受信しうる。例えば、ＰＤＣＰ  ＰＤＵがＰＤＣＰ  ＳＤＵの一部分で始まる場合、ＰＤＣＰ  ＳＤＵリアセンブル構成要素３１６は、このＰＤＣＰ  ＳＤＵの一部分を、ＰＤＣＰ  ＰＤＵ抽出構成要素３１４から前のＰＤＣＰ  ＰＤＵの末端部で受信されたＰＤＣＰ  ＳＤＵの一部分と結合しうる。同様に、ＰＤＣＰ  ＳＤＵリアセンブル構成要素３１６は、ＰＤＣＰ  ＰＤＵの末端部でＰＤＣＰ  ＳＤＵの一部分を受信する場合、後続のＰＤＣＰ  ＰＤＵの先頭のＰＤＣＰ  ＳＤＵの一部分との後続の結合のためにＰＤＣＰ  ＳＤＵを保持しうる。ＰＤＣＰ  ＳＤＵリアセンブル構成要素３１６は、ＰＤＣＰ  ＳＤＵ抽出構成要素３１６に、完全にされたＰＤＣＰ  ＳＤＵを提供しうる。
【００３８】
しかし、別の実例においては、ＰＤＣＰ  ＳＤＵリアセンブル構成要素３１６は存在せず、ＰＤＣＰ  ＰＤＵ抽出構成要素３１４が、ＲＬＣ  ＰＤＵにおいて受信されたＰＤＣＰ  ＰＤＵを、ＰＤＣＰ  ＳＤＵ抽出構成要素３１８に提供しうる。この実例において、ＲＬＣ  ＰＤＵからＰＤＣＰ  ＰＤＵあるいはその一部分を受信すると、ＰＤＣＰ  ＰＤＵ抽出構成要素３１４は、ＰＤＣＰ  ＰＤＵあるいはその一部分を決定し、ＰＤＣＰ  ＳＤＵ抽出構成要素３１８に提供しうる。ＰＤＣＰ  ＰＤＵ抽出構成要素３１４が実際にＰＤＵの一部分を抽出する場合に、ＲＬＣ受信構成要素３１２によって受信された次のＲＬＣ  ＰＤＵから次のＰＤＣＰ  ＰＤＵの一部分を抽出すると、ＰＤＣＰ  ＰＤＵ抽出構成要素３１４は完全なＰＤＣＰ  ＰＤＵを、全体として、ＰＤＣＰ  ＳＤＵ抽出構成要素３１８に送りうる。このように、ＰＤＣＰ  ＳＤＵ抽出構成要素３１８は、最初にＰＤＣＰ  ＰＤＵの一部分を受信して、ＰＤＣＰ  ＰＤＵから任意の完全なＰＤＣＰ  ＳＤＵを抽出し、その後、完全なＰＤＣＰ  ＰＤＵを受信し、そこから、ＰＤＣＰ  ＰＤＵの前の一部分において一部分が受信されている任意のＰＤＣＰ  ＳＤＵを抽出しうる。何れの場合においても、ＰＤＣＰ  ＳＤＵ抽出構成要素３１８は、後続の処理のために、上位層データ提供構成要素３２０に完全なＰＤＣＰ  ＳＤＵを提供しうる。
【００３９】
図４を参照すると、無線ネットワークにおける様々な層の間での通信フロー４００の例が示される。図示されたように、ＰＤＣＰ  ＰＤＵ４０２は、ＰＤＣＰ  ＰＤＵ４０２における第１のＰＤＣＰ  ＳＤＵ４０６のシーケンス・ナンバを指定するヘッダ４０４を含みうる。ＰＤＣＰ  ＰＤＵ４０２は、別のＰＤＣＰ  ＳＤＵ４０８も含みうる。同様に、ＰＤＣＰ  ＰＤＵ４１０は、ＰＤＣＰ  ＰＤＵ４１０における第１のＰＤＣＰ  ＳＤＵ４１４についてのシーケンス・ナンバを特定するヘッダ４１２を含みうる。ＰＤＣＰ  ＰＤＵ４１０は、追加的に、ＰＤＣＰ  ＳＤＵ４１６、４１８を備えうる。それに加えて、ＰＤＣＰ  ＰＤＵ４２０は、ＰＤＣＰ  ＳＤＵ４２４、４２６と共にヘッダ４２２を含みうる。実例において、ＰＤＣＰ  ＰＤＵ４０２、４１０、４２０は、無線ネットワークにおいて１つのデバイスから別のデバイスに送信されたＰＤＣＰ  ＰＤＵを表しうる。例えば、ＰＤＣＰ  ＰＤＵ４０２、４１０、４２０および／あるいはそれらのうちの部分が、示されているように、１又は複数のＲＬＣ  ＰＤＵにおいてＲＬＣ層で送信されうる。
【００４０】
図示されたように、ＰＤＣＰ  ＰＤＵ４０２の一部分が、ＲＬＣ層で（例えば、異なるデバイスにおいて）送信および受信されうる。図示されたように、ＲＬＣ  ＰＤＵのためのシーケンス・ナンバを備えうるＲＬＣヘッダ４２８が、ＰＤＣＰ  ＰＤＵ４０２のＰＤＣＰ  ＰＤＵの一部分４３０と共に含まれうる。加えて、ＰＤＣＰ  ＰＤＵの一部分４３０は、ＰＤＣＰ  ＳＤＵ４０６と、ＰＤＣＰ  ＳＤＵ４０８のＰＤＣＰ  ＳＤＵの一部分４３２とを含みうる。ＰＤＣＰ  ＰＤＵの一部分４３０は、先に説明されたように、ＰＤＣＰ層に転送されうる。この実例において、完全なＰＤＣＰ  ＳＤＵ４０６は、上位層に転送されうる。その後、ヘッダ４３４と、ＰＤＣＰ  ＰＤＵ４０２の残りの一部分と、ＰＤＣＰ  ＰＤＵ４１０と、ＰＤＣＰ  ＰＤＵ４２０の一部分とを備えるＲＬＣ  ＰＤＵが受信されうる。説明されたように、ＰＤＣＰ  ＰＤＵ４０２の残りの一部分が抽出され、ＰＤＣＰ層に提供されうる。ＰＤＣＰ  ＳＤＵ４０８のＰＤＣＰ  ＳＤＵの残りの一部分４３６は、ＰＤＣＰ  ＰＤＵ４０２の残りの一部分から抽出され、ＰＤＣＰ  ＳＤＵ４０８のうちの以前に受信されたＰＤＣＰ  ＳＤＵの一部分４３２と結合され、ＰＤＣＰ  ＳＤＵ４０８が構築されうる。ＰＤＣＰ  ＳＤＵ４０８は、上位層に提供されうる。
【００４１】
それに加えて、ＰＤＣＰ  ＰＤＵ４１０がＲＬＣ  ＰＤＵから抽出され、ＰＤＣＰ層に提供されうる。ＰＤＣＰ  ＳＤＵ４１４、４１６、４１８がＰＤＣＰ  ＰＤＵ４１０から抽出され、上位層に提供されうる。それに加えて、ＰＤＣＰ  ＰＤＵ４２０のうちのＰＤＣＰ  ＰＤＵの一部分４３６は、ＰＤＣＰ層に提供されうる。その後、ヘッダ４３８およびＰＤＣＰ  ＰＤＵ４２０のＰＤＣＰ  ＰＤＵの一部分４４２を備えるＲＬＣ  ＰＤＵが、ＲＬＣ層で受信されうる。ＰＤＣＰ  ＰＤＵ４２０のうちのＰＤＣＰ  ＰＤＵの一部分４４２は、説明されたように、ＰＤＣＰ層に提供されうる。この実例において、ＰＤＣＰ  ＳＤＵ４２４のうちのＰＤＣＰ  ＳＤＵの一部分４４０は、ＰＤＣＰ  ＰＤＵの一部分４４２から取り出され、以前に受信されたＰＤＣＰ  ＳＤＵの一部分４３６と結合されてＰＤＣＰ  ＳＤＵ４２４が形成されうる。これは、上位層に提供されうる。それに加えて、ＰＤＣＰ  ＳＤＵ４２６が上位層に提供されうる。従って、図示されたように、１又は複数のＰＤＣＰ  ＰＤＵあるいはそのうちの部分が、１又は複数のＲＬＣ  ＰＤＵにおいてバンドリングされ、ＰＤＣＰ  ＰＤＵにおけるＰＤＣＰ  ＳＤＵの効率的な受信および処理を容易にすることができる。これに関して、ＲＬＣ層でデバイスに送信する前に、完全にされたＰＤＣＰ  ＰＤＵを待つことに関連する遅延が回避される。デバイスは、１又は複数のＰＤＣＰ  ＰＤＵあるいはそのうちの部分を受信すると、不完全なＰＤＣＰ  ＰＤＵの残りの一部分を待っている間、ＰＤＣＰ  ＰＤＵあるいはそのうちの部分における完全なＰＤＣＰ  ＳＤＵを処理しうる。この実例において、部分的なＳＤＵの追加の部分を含む不完全なＰＤＣＰ  ＰＤＵの追加の部分が受信されると、部分的なＰＤＣＰ  ＳＤＵは、ＰＤＣＰ層においてリアセンブルされうる。
【００４２】
図５を参照すると、無線ネットワークにおける様々な層のうちの実例的な通信フロー５００が示されている。図示されたように、ＰＤＣＰ  ＰＤＵ４０２は、ＰＤＣＰ  ＰＤＵ４０２における最初のＰＤＣＰ  ＳＤＵ４０６のシーケンス・ナンバを指定するヘッダ４０４を含みうる。ＰＤＣＰ  ＰＤＵ４０２は、別のＰＤＣＰ  ＳＤＵ４０８も含みうる。同様に、ＰＤＣＰ  ＰＤＵ４１０は、ＰＤＣＰ  ＰＤＵ４１０における最初のＰＤＣＰ  ＳＤＵ４１４のためのシーケンス・ナンバを指定するヘッダ４１２を含みうる。ＰＤＣＰ  ＰＤＵ４１０は、追加的に、ＰＤＣＰ  ＳＤＵ４１６、４１８を備えうる。それに加えて、ＰＤＣＰ  ＰＤＵ４２０は、ＰＤＣＰ  ＳＤＵ４２４、４２６と共にヘッダ４２２を含みうる。実例において、ＰＤＣＰ  ＰＤＵ４０２、４１０、４２０は、無線ネットワークにおいて１つのデバイスから別のデバイスに送信されたＰＤＣＰ  ＰＤＵを表しうる。例えば、ＰＤＣＰ  ＰＤＵ４０２、４１０、４２０、および／あるいはそれらのうちの部分は、１又は複数のＲＬＣ  ＰＤＵにおいてＲＬＣ層によって送信されうる。
【００４３】
図示されたように、ＰＤＣＰ  ＰＤＵ４０２の一部分は、（例えば、異なるデバイスにおいて）ＲＬＣ層で送信および受信されうる。ＲＬＣ  ＰＤＵのためのシーケンス・ナンバを備えうるＲＬＣヘッダ４２８は、図示されたように、ＰＤＣＰ  ＰＤＵ４０２のＰＤＣＰ  ＰＤＵの一部分４３０と共に含まれうる。それに加えて、ＰＤＣＰ  ＰＤＵの一部分４３０は、ＰＤＣＰ  ＳＤＵ４０６と、ＰＤＣＰ  ＳＤＵ４０８のうちのＰＤＣＰ  ＳＤＵの一部分４３２とを含みうる。ＰＤＣＰ  ＰＤＵの一部分４３０は、先に説明されたように、ＰＤＣＰ層に転送されうる。この実例において、完全なＰＤＣＰ  ＳＤＵ４０６は上位層に転送され、部分的なＰＤＣＰ  ＳＤＵ４３２は無視されうる。その後、ヘッダ４３４と、ＰＤＣＰ  ＰＤＵ４０２の残りの一部分と、ＰＤＣＰ  ＰＤＵ４１０と、ＰＤＣＰ  ＰＤＵ４２０の一部分とを備えるＲＬＣ  ＰＤＵが受信されうる。説明されたように、ＰＤＣＰ  ＰＤＵ４０２の残りの一部分が抽出され、完全なＰＤＣＰ  ＰＤＵ４０２を形成するために、以前に受信されたＰＤＣＰ  ＰＤＵの一部分４３０と結合されうる。完全なＰＤＣＰ  ＰＤＵ４０２は、ＰＤＣＰ層に提供されうる。ＰＤＣＰ  ＳＤＵ４０６が既に上位層に提供されているので、ＰＤＣＰ  ＳＤＵ４０８が完全なＰＤＣＰ  ＰＤＵ４０２から抽出され、上位層に提供されうる。
【００４４】
更に、ＰＤＣＰ  ＰＤＵ４１０がＲＬＣ  ＰＤＵから抽出され、ＰＤＣＰ層に提供されうる。ＰＤＣＰ  ＳＤＵ４１４、４１６、４１８がＰＤＣＰ  ＰＤＵ４１０から抽出され、上位層に提供されうる。それに加えて、ＰＤＣＰ  ＰＤＵ４２０のうちのＰＤＣＰ  ＰＤＵの一部分４３６が、ＰＤＣＰ層に提供されうる。ＰＤＣＰ  ＰＤＵの一部分４２０は、完全なＰＤＣＰ  ＳＤＵを含んでいないので無視されうる。その後、ヘッダ４３８と、ＰＤＣＰ  ＰＤＵ４２０のうちのＰＤＣＰ  ＰＤＵの一部分４４２とを備えるＲＬＣ  ＰＤＵがＲＬＣ層で受信されうる。ＰＤＣＰ  ＰＤＵ４２０のうちのＰＤＣＰ  ＰＤＵの一部分４４２は、以前に受信されたＰＤＣＰ  ＰＤＵの一部分４３６と結合され、完全なＰＤＣＰ  ＰＤＵ４２０が構築されうる。完全なＰＤＣＰ  ＰＤＵ４２０は、説明されたように、ＰＤＣＰ層に提供されうる。この実例において、ＰＤＣＰ  ＳＤＵ４２４、４２６は、完全なＰＤＣＰ  ＰＤＵ４２０から抽出され、上位層に提供されうる。従って、図示されたように、ＰＤＣＰ  ＰＤＵにおけるＰＤＣＰ  ＳＤＵの効率的な受信および処理を容易にするために、１又は複数のＰＤＣＰ  ＰＤＵあるいはそのうちの部分が、１又は複数のＲＬＣ  ＰＤＵにおいてバンドリングされうる。その際、ＲＬＣ層を介してデバイスに送信する前に、完全にされたＰＤＣＰ  ＰＤＵを待つことに関連する遅延が回避されうる。デバイスは、ＰＤＣＰ  ＰＤＵの一部分を受信すると、ＰＤＣＰ  ＰＤＵの追加の１又は複数の部分における不完全なＰＤＣＰ  ＳＤＵの残りの一部分を待っている間に、完全にされたＰＤＣＰ  ＳＤＵを処理しうる。この実例において、部分的なＰＤＣＰ  ＰＤＵはＲＬＣ層でリアセンブルされうるので、ＰＤＣＰ層は、ＰＤＣＰ  ＳＤＵをリアセンブルする必要なく、完全なＰＤＣＰ  ＰＤＵを最終的に受信しうる。
【００４５】
図６−８を参照すると、本明細書において説明された様々な態様に従って実行されうる方法体系が例示される。説明の簡略化のために、方法体系が一連の動作として図示および説明されるが、この方法体系は動作の順序によって限定されることはなく、１又は複数の態様によると、いくつかの動作は、本明細書において図示および説明されたのとは別の動作と同時に、および／あるいは、異なる順序で生じうるということが理解されるべきである。例えば、方法体系は状態図における場合のように、一連の相関状態あるいは相関イベントとして代替的に示されうるということを当業者は理解および認識するだろう。更に、１又は複数の態様に従う方法体系を実施するために、例示された動作の全てが必ずしも必要とされるわけではない。
【００４６】
図６を参照すると、無線通信において部分的なＰＤＵを受信および処理するための実例的な方法体系６００が示されている。６０２において、異種通信層に関連する部分的なＰＤＵを備えるＰＤＵが通信層において受信されうる。説明されたように、ＲＬＣ  ＰＤＵが部分的なＰＤＣＰ  ＰＤＵを備えうるように、例えば、通信層はＲＬＣ層であり、および／あるいは、異種通信層はＰＤＣＰ層でありうる。６０４において、部分的なＰＤＵは、通信層において、ＰＤＵから抽出されうる。これに関して、ＰＤＵは１又は複数の完全なＳＤＵおよび／あるいは部分的なＳＤＵを含みうる。従って、６０６において、部分的なＰＤＵにおける１又は複数の完全なＳＤＵは、上位通信層に提供されうる。従って、ＰＤＵにおける１又は複数のＳＤＵが処理されるよりも前に部分的なＰＤＵの残りが受信される必要はない。上記で説明されたように、残りが受信されると、部分的なＰＤＵの残りによって完全にされた任意の部分的なＳＤＵは、上位通信層に提供されうる。
【００４７】
図７を参照すると、無線ネットワークにおいて部分的なＰＤＵをアンバンドリングおよび処理することを容易にする実例的な方法体系７００が示されている。７０２において、不完全なＰＤＵは、１又は複数の完全なＳＤＵおよび／あるいは不完全なＳＤＵの一部分にアンバンドリングされうる。例えば、１又は複数の完全なＳＤＵがＰＤＵ内に存在する場合、７０４において、１又は複数の完全なＳＤＵが上位通信層に提供されうる。例えば、上位通信層は、ＳＤＵあるいはそのコンテンツを処理するアプリケーション層でありうる。従って、いくつかのＳＤＵは、不完全なＰＤＵの残りの一部分を待っている間に処理されうる。７０６において、不完全なＰＤＵの次の一部分が受信されうる。７０８において、不完全なＳＤＵと、不完全なＰＤＵの次の一部分における異種の不完全なＳＤＵとを結合することによって、完全なＳＤＵが構築されうる。１つの実例において、不完全なＰＤＵの次の一部分は、ＰＤＵの残りの一部分でありうる。それに加えて、例えば、ＰＤＵの残りの一部分は、１又は複数の追加のＰＤＵあるいはそのうちの部分と共に受信されうる。構築された完全なＳＤＵは、７１０において、上位通信層に提供されうる。
【００４８】
図８を参照すると、無線ネットワークにおいて部分的なＰＤＵをアンバンドリングおよび処理するための実例的な方法体系８００が示されている。８０２において、不完全なＰＤＵは、１又は複数の完全なＳＤＵおよび／あるいは不完全なＳＤＵにアンバンドリングされうる。例えば、１又は複数の完全なＳＤＵがＰＤＵ内に存在する場合、８０４において、１又は複数の完全なＳＤＵが上位通信層に提供されうる。例えば、上位通信層は、ＳＤＵあるいはそのコンテンツを処理するアプリケーション層であり得る。このように、不完全なＰＤＵの残りの一部分を待っている間に、いくつかのＳＤＵが処理されうる。８０６において、不完全なＰＤＵの次の一部分が受信されうる。８０８において、不完全なＰＤＵと、不完全なＰＤＵの次の一部分とを結合することによって、ＰＤＵのより大きな一部分が構築されうる。ＰＤＵのより大きな一部分から取得された不完全なＳＤＵの完全な再現物（representation）は、８１０において、上位通信層に提供されうる。１つの実例において、ＰＤＵのより大きな一部分からＳＤＵの完全な再現物が抽出されうる。従って、不完全なＰＤＵにおいて受信されたＳＤＵは、受信されると処理され、不完全なＰＤＵにおいては以前は不完全だったＳＤＵは、不完全なＰＤＵの次の一部分を受信すると処理されうる。１つの実例において、不完全なＰＤＵの次の一部分は、ＰＤＵの残りの一部分であり得る。それに加えて、例えば、ＰＤＵの残りの一部分は、１又は複数の追加のＰＤＵあるいはそのうちの部分と共に受信されうる。
【００４９】
本明細書において説明される１又は複数の態様によると、ＰＤＵをバンドリングあるいはアンバンドリングすることや、ＳＤＵをリアセンブルすることなどに関して、推測がなされうることが理解されるだろう。本明細書において使用される場合、用語「推測する」あるいは「推測」は、一般に、イベントおよび／あるいはデータによってキャプチャされたような観測のセットから、システム、環境、および／あるいはユーザの状態を論証あるいは推測する処理を称する。推測は、例えば、特定のコンテキストあるいは動作を識別するために用いられうる、あるいは複数の状態にわたる確率分布を生成しうる。推測は確率的である、すなわち、データおよびイベントの考慮に基づく、対象の状態にわたる確率分布の計算である。推測は、イベントのセットおよび／あるいはデータから、より高いレベルのイベントを構成するために用いられる技術をも称しうる。このような推測は、イベントが時間的に密に近接して相関性があろうとなかろうと、かつ、イベントおよびデータが１又はいくつかのイベントおよびデータ・ソースに由来するのであろうとなかろうと、観測されたイベントのセットおよび／あるいは格納されたイベント・データから新たなイベントあるいは動作を構築することを結果としてもたらす。
【００５０】
図９を参照すると、無線ネットワークにおいて受信されるＰＤＵの不完全な部分を処理するシステム９００が例示されている。例えば、システム９００は、基地局やモバイル・デバイスなどの内部に、少なくとも部分的に存在しうる。システム９００は、機能ブロックを含むように示され、これらは、プロセッサ、ソフトウェア、あるいはそれらの組合せ（例えば、ファームウェア）によって実施される機能を表す機能ブロックであるということが理解されるべきである。システム９００は、関連して動作しうる電子構成要素の論理グループ９０２を含む。例えば、論理グループ９０２は、異種通信層に関連するＰＤＵの不完全な一部分を含むＰＤＵを通信層においてデバイスから受信するための電子構成要素９０４を含みうる。説明されたように、１つの実例において、通信層はＲＬＣ層であり、異種通信層はＰＤＣＰ層でありうる。更に、論理グループ９０２は、通信層においてデバイスから受信されたＰＤＵから、ＰＤＵの不完全な一部分を抽出するための電子構成要素９０６を備えうる。これに関連して、説明されたように、ＰＤＵの不完全な部分のための処理が、残りを受信する前に開始しうる。
【００５１】
更に、論理グループ９０２は、ＰＤＵの不完全な一部分における１又は複数のＳＤＵを、上位通信層に提供するための電子構成要素９０８を含みうる。説明されたように、電子構成要素９０８は、上位通信層に完全なＳＤＵのみを提供しうる。それに加えて、電子構成要素９０４は、ＰＤＵの不完全な一部分の残りの一部分も受信しうる。更に、論理グループ９０２は、ＰＤＵの不完全な一部分と、ＰＤＵの不完全な一部分の残りの一部分とから完全なＳＤＵをリアセンブルするための電子構成要素９１０も含みうる。例えば、ＰＤＵの不完全な一部分は、（例えば、ＰＤＵの最後に）ＳＤＵの一部分を含み、ＰＤＵの残りの一部分は、ＳＤＵの残りの一部分を（例えば、ＰＤＵの残りの一部分の先頭に）含みうる。ＳＤＵの複数の部分は、例えば、完全なＳＤＵを構築するために結合されうる。
【００５２】
更に、説明されたように、電子構成要素９０８は、リアセンブルされたＳＤＵを、上位通信層に提供しうる。従って、不完全なＰＤＵにおけるＳＤＵは、ＰＤＵの残りを待っている間に処理され、残りが受信されると、この残りと不完全な一部分とにわたる部分的なＳＤＵが構築され、上位通信層に提供されうる。それに加えて、１つの実例において、電子構成要素９１０がＰＤＵをリアセンブルするのではなく、電子構成要素９０６がＰＤＵをリアセンブルし、この完全なＰＤＵ（あるいは、より大きな一部分）を、ＰＤＵの不完全な一部分においては完全ではなかった完全なＳＤＵを上位通信層に提供するために電子構成要素９０８に提供しうる。更に、システム９００は、電子構成要素９０４、９０６、９０８、９１０に関連する機能を実行するための命令群を保持するメモリ９１２を含みうる。メモリ９１２の外側にあるように図示されているが、電子構成要素９０４、９０６、９０８、９１０のうちの１又は複数が、メモリ９１２内に存在しうることが理解されるべきである。
【００５３】
図１０は、本明細書において説明される機能の様々な態様を実施するために利用されうるシステム１０００のブロック図である。１つの実例において、システム１０００は、基地局あるいはｅＮＢ１００２を含む。例示されたように、ｅＮＢ１００２は、１又は複数の信号を、１又は複数の受信（Ｒｘ）アンテナ１００６によって１又は複数のＵＥ１００４から受信し、１又は複数の送信（Ｔｘ）アンテナ１００８によって、１又は複数のＵＥ１００４に送信しうる。追加的に、ｅＮＢ１００２は、受信アンテナ１００６から情報を受信する受信機１０１０を備えうる。１つの実例において、受信機１０１０は、受信された情報を復調する復調器（Ｄｅｍｏｄ）１０１２に動作可能なように関連付けられうる。復調されたシンボルはその後、プロセッサ１０１４によって分析されうる。プロセッサ１０１４は、メモリ１０１６に結合されうる。これは、コード・クラスタ（code cluster）、アクセス端末割当、これらに関連するルックアップ・テーブル、一意的スクランブリング・シーケンス、および／またはその他適切な種類の情報に関連する情報を格納することができる。１つの実例において、ｅＮＢ１００２は、方法体系６００、７００、８００、および／あるいはその他同様かつ適切な方法体系を実行するためにプロセッサ１０１４を用いうる。ｅＮＢ１００２は更に、送信アンテナ１００８を介する、送信機１０２０による伝送のために信号を多重化しうる変調器１０１８を含みうる。
【００５４】
図１１は、本明細書において説明された機能の様々な態様を実施するために利用されうる別のシステム１１００のブロック図である。１つの実例において、システム１１００は、モバイル端末１１０２を含む。例示されたように、モバイル端末１１０２は、１又は複数のアンテナ１１０８によって、１又は複数の信号を、１又は複数の基地局１１０４から受信し、１又は複数の基地局１１０４に送信しうる。更に、モバイル端末１１０２は、アンテナ１１０８から情報を受信する受信機１１１０を備えうる。１つの実例において、受信機１１１０は、受信された情報を復調する復調器（Ｄｅｍｏｄ）１１１２に動作可能なように関連付けられうる。復調されたシンボルはその後、プロセッサ１１１４によって分析されうる。プロセッサ１１１４は、メモリ１１１６に結合されうる。これは、モバイル端末１１０２に関連するデータおよび／あるいはプログラム・コードを格納しうる。加えて、モバイル端末１１０２は、方法体系６００、７００、８００、および／あるいはその他同様のかつ適切な方法体系を実行するために、プロセッサ１１１４を用いうる。モバイル端末１１０２は、説明された機能を達成するために、前の複数の図面において説明された１又は複数の構成要素も用いうる。１つの実例において、これらの構成要素はプロセッサ１１１４によって実施されうる。モバイル端末１１０２は、アンテナ１１０８を介した送信機１１２０による伝送のために、信号を多重化しうる変調器１１１８も含みうる。
【００５５】
図１２を参照すると、無線多元接続通信システムの例示が、様々な態様に従って提供される。１つの実例において、アクセス・ポイント１２００（ＡＰ）は、複数のアンテナ・グループを含む。図１２に例示されたように、１つのアンテナ・グループはアンテナ１２０４、１２０６を含み別のグループはアンテナ１２０８、１２１０を含み、更に別のグループは、アンテナ１２１２、１２１４を含みうる。図１２において、２つのアンテナだけが各アンテナ・グループのために図示されているが、２つより多いあるいは少ないアンテナが、各アンテナ・グループのために利用されうることが理解されるべきである。別の実例において、アクセス端末１２１６は、アンテナ１２１２、１２１４と通信できる。ここで、アンテナ１２１２、１２１４は、フォワード・リンク１２２０によって情報をアクセス端末１２１６へ送信し、リバース・リンク１２１８によって情報をアクセス端末１２１６から受信する。更におよび／あるいは代替的に、アクセス端末１２２２は、アンテナ１２０６、１２０８と通信できる。ここで、アンテナ１２０６、１２０８は、フォワード・リンク１２２６によって情報をアクセス端末１２２２へ送信し、リバース・リンク１２２４によって情報をアクセス端末１２２２から受信する。周波数分割複信システムにおいて、通信リンク１２１８、１２２０、１２２４、１２２６は、通信のために異なる周波数を使用しうる。例えば、フォワード・リンク１２２０は、リバース・リンク１２１８によって使用されるのとは異なる周波数を使用しうる。
【００５６】
アンテナの各グループおよび／あるいはそれらが通信するように設計されているエリアは、アクセス・ポイントのセクタと称されうる。１つの態様によると、アンテナ・グループは、アクセス・ポイント１２００によってカバーされているエリアのセクタにおけるアクセス端末に通信するように設計されうる。フォワード・リンク１２２０、１２２６による通信において、アクセス・ポイント１２００の送信アンテナは、異なるアクセス端末１２１６、１２２２のためのフォワード・リンクの信号対雑音比を向上させるために、ビームフォーミングを利用しうる。更に、自己のカバレッジにわたってランダムに散在しているアクセス端末に送信するためにビームフォーミングを使用するアクセス・ポイントは、近隣セルにおけるアクセス端末に対して、単一のアンテナによって自己のアクセス端末全てに送信するアクセス・ポイントよりも少ない干渉しかもたらさない。
【００５７】
例えばアクセス・ポイント１２００のようなアクセス・ポイントは、端末と通信するために使用される固定局であり、基地局、ｅＮＢ、アクセス・ネットワーク、および／あるいはその他の適切な用語で称されうる。更に、例えばアクセス端末１２１６、１２２２のようなアクセス端末は、モバイル端末、ユーザ器機、無線通信デバイス、端末、無線端末、および／あるいはその他の適切な用語で称されうる。
【００５８】
図１３を参照すると、本明細書において説明される様々な態様が機能しうる無線通信システム１３００の例を示すブロック図が提供される。１つの実例において、システム１３００は、送信機システム１３１０および受信機システム１３５０を含む複数入力複数出力（ＭＩＭＯ）システムである。しかし、送信機システム１３１０および／あるいは受信機システム１３５０は、複数入力単一出力システムにも適用されうる。このシステムにおいては、例えば、（例えば基地局における）複数の送信アンテナが、１又は複数のシンボル・ストリームを単一のアンテナ・デバイス（例えば、モバイル局）に送信しうる。更に、本明細書において説明される送信機システム１３１０および／あるいは受信機システム１３５０の態様は、単一出力単一入力のアンテナ・システムに関連して利用されうることが理解されるべきである。
【００５９】
１つの態様によると、複数のデータ・ストリームのためのトラフィック・データが、送信機システム１３１０において、データ・ソース１３１２から、送信（ＴＸ）データ・プロセッサ１３１４へ提供される。１つの実例において、各データ・ストリームはその後、それぞれの送信アンテナ１３２４によって送信されうる。更に、ＴＸデータ・プロセッサ１３１４は、符号化されたデータを提供するために、それぞれのデータ・ストリームの各々のために選択された特定の符号化スキームに基づいて、各データ・ストリームのためのトラフィック・データをフォーマット、符号化、およびインタリーブしうる。１つの実例において、各データ・ストリームのための符号化されたデータはその後、ＯＦＤＭ技術を使用して、パイロット・データと共に多重化されうる。パイロット・データは、例えば、既知の様式で処理される既知のデータ・パターンでありうる。更に、このパイロット・データは、チャネル応答を推定するために、受信機システム１３５０において使用されうる。送信機システム１３１０に戻ると、各データ・ストリームのための、多重化されたパイロットおよび符号化されたデータは、変調シンボルを提供するために、それぞれのデータ・ストリームの各々のために選択された特定の変調スキーム（例えば、ＢＰＳＫ、ＱＰＳＫ、Ｍ−ＰＳＫ、あるいはＭ−ＱＡＭ）に基づいて変調（すなわち、シンボル・マッピング）されうる。１つの実例において、各データ・ストリームのためのデータ・レート、符号化、および変調は、プロセッサ１３３０上で実行されるおよび／あるはプロセッサ１３３０によって提供される命令群によって決定されうる。
【００６０】
次に、全てのデータ・ストリームのための変調シンボルが、ＴＸ  プロセッサ１３２０に提供されうる。これは、変調シンボルを（例えば、ＯＦＤＭのために）更に処理しうる。ＴＸ  ＭＩＭＯプロセッサ１３２０はその後、ＮＴ個の変調シンボル・ストリームを、ＮＴ個のトランシーバ１３２２ａ乃至１３２２ｔへ提供しうる。１つの実例において、各トランシーバ１３２２は、それぞれのシンボル・ストリームを受信および処理して、１又は複数のアナログ信号を提供しうる。各トランシーバ１３２２はその後、更に、アナログ信号を調整（例えば、増幅、フィルタ、アップコンバート）して、ＭＩＭＯチャネルによる伝送に適した、変調された信号を提供しうる。従って、トランシーバ１３２２ａ乃至１３２２ｔからのＮＴ個の変調信号はその後、ＮＴ個のアンテナ１３２４ａ乃至１３２４ｔからそれぞれ送信されうる。
【００６１】
別の態様によると、送信された変調された信号は、受信機システム１３５０においてＮＲ個のアンテナ１３５２ａ乃至１３５２ｒによって受信されうる。各アンテナ１３５２から受信された信号はその後、それぞれのトランシーバ１３５４に提供されうる。１つの実例において、各トランシーバ１３５４は、それぞれの受信された信号を調整（例えば、フィルタ、増幅、およびダウンコンバート）し、この調整された信号をデジタル化してサンプルを提供し、その後、このサンプルを処理して、対応する「受信された」シンボル・ストリームを提供する。ＲＸ  ＭＩＭＯ／データ・プロセッサ１３６０はその後、特定の受信機処理技術に基づいて、ＮＲ個のトランシーバ１３５４からＮＲ個の受信されたシンボル・ストリームを受信および処理して、ＮＴ個の「検出された」シンボル・ストリームを提供する。１つの実例において、各検出されたシンボル・ストリームは、対応するデータ・ストリームのために送信された変調シンボルの推定であるシンボルを含みうる。ＲＸプロセッサ１３６０はその後、少なくとも部分的に、各検出されたシンボル・ストリームを復調、デインタリーブ、復号することによって各シンボル・ストリームを処理して、対応するデータ・ストリームのためのトラフィック・データを復元しうる。このように、ＲＸプロセッサ１３６０による処理は、送信機システム１３１０において、ＴＸ  ＭＩＭＯプロセッサ１３２０およびＴＸデータ・プロセッサ１３１６によって実行される処理に対して相補的でありうる。ＲＸプロセッサ１３６０は追加的に、処理されたシンボル・ストリームをデータ・シンク１３６４に提供しうる。
【００６２】
１つの態様によると、ＲＸプロセッサ１３６０によって生成されたチャネル応答推定値は、受信機における空間／時間処理を実行し、電力レベルを調節し、変調レートあるいはスキームを変更し、および／あるいは、その他の適切な動作を実行するために使用されうる。それに加えて、ＲＸプロセッサ１３６０は更に、例えば、検出されたシンボル・ストリームの信号対雑音および干渉比（ＳＮＲ）のようなチャネル特性を推定しうる。ＲＸプロセッサ１３６０はその後、推定されたチャネル特性をプロセッサ１３７０に提供しうる。１つの実例において、ＲＸプロセッサ１３６０および／あるいはプロセッサ１３７０は更に、システムのための「動作（operating)」ＳＮＲの推定値を導出しうる。プロセッサ１３７０はその後、通信リンクおよび／あるいは受信されたデータ・ストリームに関する情報を備えうるチャネル状態情報（ＣＳＩ）を提供しうる。この情報は、例えば、動作ＳＮＲを含みうる。ＣＳＩはその後、ＴＸデータ・プロセッサ１３１８によって処理され、変調器１３８０によって変調され、トランシーバ１３５４ａ乃至１３５４ｒによって調整され、送信機システム１３１０に対して送信されうる。更に、受信機システム１３５０おけるデータ・ソース１３１６は、ＴＸデータ・プロセッサ１３１８によって処理されるべき追加のデータを提供しうる。
【００６３】
送信機システム１３１０に戻ると、受信機システム１３５０からの変調された信号はその後、受信機システム１３５０によって報告されたＣＳＩを復元するために、アンテナ１３２４によって受信され、トランシーバ１３２２によって調整され、復号器１３４０によって復号され、ＲＸデータ・プロセッサ１３４２によって処理されうる。１つの実例において、報告されたＣＳＩはその後、プロセッサ１３３０に提供され、１又は複数のデータ・ストリームのために使用されるべき符号化および変調スキームに加えてデータ・レートを決定するために使用されうる。決定された符号化および変調スキームはその後、量子化および／あるいはその後の受信機システム１３５０への伝送における使用のために、トランシーバ１３２２に提供されうる。更におよび／あるいは代替的に、報告されたＣＳＩは、ＴＸデータ・プロセッサ１３１４およびＴＸ  ＭＩＭＯプロセッサ１３２０のための様々な制御を生成するためにプロセッサ１３３０によって使用されうる。別の実例において、ＣＳＩおよび／あるいはＲＸデータ・プロセッサ１３４２によって処理されたその他の情報は、データ・シンク１３４４に提供されうる。
【００６４】
１つの実例において、送信機システム１３１０におけるプロセッサ１３３０および受信機システム１３５０におけるプロセッサ１３７０は、それぞれのシステムにおいて動作を管理する。更に、送信機システム１３１０におけるメモリ１３３２および受信機システム１３５０におけるメモリ１３７２は、それぞれプロセッサ１３３０、１３７０によって使用されるプログラム・コードおよびデータのために記憶装置を提供しうる。更に、受信機システム１３５０において、様々な処理技術は、ＮＲ個の受信された信号を処理して、ＮＴ個の送信されたシンボル・ストリームを検出するために使用されうる。これらの受信機処理技術は、等化技術とも称されうる空間および空間時間受信機処理技術、および／あるいは、「連続干渉除去」あるいは「連続除去」受信機処理技術とも称されうる「連続ナリング（nulling)／等化および干渉除去」受信機処理技術を含みうる。
【００６５】
本明細書において説明される態様は、ハードウェア、ソフトウェア、ファームウェア、ミドルウェア、マイクロコード、あるいはそれら任意の組合せによって実施されうると理解されあるべきである。このシステムおよび／あるいは方法は、ソフトウェア、ファームウェア、ミドルウェアあるはマイクロコード、プログラム・コードあるいはコード・セグメントにおいて実施される場合、記憶装置構成要素のような、機械読取可能媒体に格納されうる。コード・セグメントは、手順か、機能か、サブプログラムか、プログラムか、ルーティンか、サブルーティンか、モジュールか、ソフトウェア・パッケージか、クラスか、あるいは、命令群、データ構造、あるいはプログラム文からなる任意の組合せかを表しうる。コード・セグメントは、情報、データ、引数（argument）、パラメータ、あるいはメモリ・コンテンツをパスおよび／あるいは受信することによって、別のコード・セグメントあるいはハードウェア回路に結合されうる。情報、引数、パラメータ、データなどが、メモリ共有、メッセージ・パッシング、トークン・パッシング、ネットワーク伝送などを含む任意の適切な手段を使用して、パス、フォワード、あるいは送信されうる。
【００６６】
ソフトウェアにおける実施では、本明細書において説明される技術は、本明細書において説明される機能を実行するモジュール（例えば、手順や機能など）を用いて実施される。ソフトウェア・コードは、メモリ・ユニットに格納され、プロセッサによって実行されうる。メモリ・ユニットは、プロセッサ内に、あるいはプロセッサの外側に実現されうる。プロセッサの外側の場合、メモリ・ユニットは当該技術分野において周知の様々な手段によって、通信可能なようにプロセッサに結合されうる。
【００６７】
上記で説明された内容は、１又は複数の態様の実例を含む。もちろん、前述された態様を説明するために、構成要素あるいは方法体系の想到しうる全ての組合せを説明するのは不可能であるが、様々な態様からなる多くの更なる組合せあるいは置換えが可能であるということを当業者は認識しうる。従って、説明された態様は、添付の請求項の精神および範囲内に含まれるような変更、変形、およびバリエーションを包含するように意図されている。更に、用語「含む（includes)」は、詳細な説明あるいは請求項のどちらかにおいて使用される範囲内で、このような用語は、用語「備える」と類似して、「備える」が請求項において、遷移語として用いられる場合のように包括的であることが意図されている。更に、用語「又は／あるいは（ｏｒ）」は、詳細な説明あるいは特許請求の範囲の何れかにおいて使用される場合に、「非排他的なあるいは／又は」を意味するよう意図されている。
【図１】
2012514952.tif 000003
【図２】
2012514952.tif 000004
【図３】
2012514952.tif 000005
【図４】
2012514952.tif 000006
【図５】
2012514952.tif 000007
【図６】
2012514952.tif 000008
【図７】
2012514952.tif 000009
【図８】
2012514952.tif 000010
【図９】
2012514952.tif 000011
【図１０】
2012514952.tif 000012
【図１１】
2012514952.tif 000013
【図１２】
2012514952.tif 000014
【図１３】
2012514952.tif 000015
【手続補正書】
【提出日】平成23年10月20日(2011.10.20)
【手続補正１】
【補正対象書類名】明細書
【補正対象項目名】００４４
【補正方法】変更
【補正の内容】
【００４４】
更に、ＰＤＣＰ  ＰＤＵ４１０がＲＬＣ  ＰＤＵから抽出され、ＰＤＣＰ層に提供されうる。ＰＤＣＰ  ＳＤＵ４１４、４１６、４１８がＰＤＣＰ  ＰＤＵ４１０から抽出され、上位層に提供されうる。それに加えて、ＰＤＣＰ  ＰＤＵ４２０のうちのＰＤＣＰ  ＰＤＵの一部分４３６が、ＰＤＣＰ層に提供されうる。ＰＤＣＰ  ＰＤＵの一部分４３６は、完全なＰＤＣＰ  ＳＤＵを含んでいないので無視されうる。その後、ヘッダ４３８と、ＰＤＣＰ  ＰＤＵ４２０のうちのＰＤＣＰ  ＰＤＵの一部分４４２とを備えるＲＬＣ  ＰＤＵがＲＬＣ層で受信されうる。ＰＤＣＰ  ＰＤＵ４２０のうちのＰＤＣＰ  ＰＤＵの一部分４４２は、以前に受信されたＰＤＣＰ  ＰＤＵの一部分４３６と結合され、完全なＰＤＣＰ  ＰＤＵ４２０が構築されうる。完全なＰＤＣＰ  ＰＤＵ４２０は、説明されたように、ＰＤＣＰ層に提供されうる。この実例において、ＰＤＣＰ  ＳＤＵ４２４、４２６は、完全なＰＤＣＰ  ＰＤＵ４２０から抽出され、上位層に提供されうる。従って、図示されたように、ＰＤＣＰ  ＰＤＵにおけるＰＤＣＰ  ＳＤＵの効率的な受信および処理を容易にするために、１又は複数のＰＤＣＰ  ＰＤＵあるいはそのうちの部分が、１又は複数のＲＬＣ  ＰＤＵにおいてバンドリングされうる。その際、ＲＬＣ層を介してデバイスに送信する前に、完全にされたＰＤＣＰ  ＰＤＵを待つことに関連する遅延が回避されうる。デバイスは、ＰＤＣＰ  ＰＤＵの一部分を受信すると、ＰＤＣＰ  ＰＤＵの追加の１又は複数の部分における不完全なＰＤＣＰ  ＳＤＵの残りの一部分を待っている間に、完全にされたＰＤＣＰ  ＳＤＵを処理しうる。この実例において、部分的なＰＤＣＰ  ＰＤＵはＲＬＣ層でリアセンブルされうるので、ＰＤＣＰ層は、ＰＤＣＰ  ＳＤＵをリアセンブルする必要なく、完全なＰＤＣＰ  ＰＤＵを最終的に受信しうる。
【国際調査報告】
2012514952.tif 000016
2012514952.tif 000017
2012514952.tif 000018